(57)【要約】【課題】ネットワーク障害などでコンテンツが正常に視聴できなかった場合に、ネットワーク経由でのコンテンツの再配信を行わずに再生装置内部に保存したコンテンツを用いることで品質の高いコンテンツの視聴を保証し、また、再生装置内部にコンテンツを保持した場合でも、ユーザーがコンテンツに対して不正な行為を行うことが出来ないコンテンツの再生装置を提供する。【解決手段】コンテンツ配信装置１がＱｏｓレベルの値を再生装置２に送信し、再生装置２はＱｏｓレベルの値に基づいたコンテンツデータの受信を監視する。コンテンツデータの受信が一度でもＱｏｓレベルの値以下だった場合にのみ再生後にＨＤＤ２６に保存したコンテンツデータの再利用ができる再利用許可情報をコンテンツ再生部２３で保持する。また、ＨＤＤ２６へのコンテンツデータの蓄積は暗号化などユーザーがコンテンツデータを不正利用できない形で行う。【選択図】　図１
2004096216.tif 000002
【特許請求の範囲】
【請求項１】
コンテンツ配信装置がストリーミング方式によって配信するコンテンツデータを受信し再生する再生装置であって、
単位時間あたりに受信すべきコンテンツデータのデータ量の指標となる受信データ品質保証情報と前記コンテンツデータとを受信する通信部と、
前記受信データ品質保証情報に基づいた前記コンテンツデータの受信が行われているかどうかを判断しながら前記コンテンツデータの再生処理を行うと共に、再生処理後のコンテンツデータを記憶部へ蓄積するコンテンツ再生部と、
前記受信データ品質保証情報に基づいた前記コンテンツデータの受信が出来なかった場合に前記記憶部に蓄積した前記コンテンツデータの再利用に関する再利用許可情報を再利用可能として設定する再利用許可判定手段と、
前記コンテンツの再生が終了した時点で前記再利用許可情報が再利用不可として設定されている場合に、前記記憶部に蓄積した前記コンテンツデータを削除するコンテンツデータ削除手段と、
を備えることを特徴とするコンテンツデータの再生装置。
【請求項２】
前記コンテンツ再生部は前記記憶部にコンテンツデータを蓄積する際に、前記コンテンツデータを暗号化して記憶部に保存することを特徴とする請求項１に記載の再生装置。
【請求項３】
前記コンテンツ再生部は前記記憶部にコンテンツデータを蓄積する際に、前記コンテンツデータを再生順に細かく分割して前記記憶部に保存することを特徴とする請求項１に記載の再生装置。
【請求項４】
前記コンテンツ再生部は前記受信データ品質保証情報に基づいたコンテンツデータの受信が出来なかった場合に、前記再利用許可情報を前記記憶部に保存したコンテンツデータの内部に格納することを特徴とする請求項１に記載の再生装置。
【請求項５】
コンテンツ配信装置とネットワークを介して接続された再生装置におけるコンテンツデータの再生方法において、
単位時間あたりに受信すべきコンテンツデータのデータ量の指標となる受信データ品質保証情報を前記コンテンツ配信装置より受信する第１の過程と、
前記受信データ品質保証情報に基づいた前記コンテンツデータの受信が行われているかどうかを判断しながら前記コンテンツデータを受信して再生処理を行い、再生処理後のコンテンツデータを記憶部へ蓄積する第２の過程と、
前記受信データ品質保証情報に基づいた前記コンテンツデータの受信が出来なかった場合に前記記憶部に蓄積した前記コンテンツデータの再利用に関する再利用許可情報を再利用可能として設定する第３の過程と、
前記再利用許可情報が再利用不可として設定されている場合に、前記記憶部に蓄積した前記コンテンツデータを削除する第４の過程と、
を備えることを特徴とするコンテンツデータの再生方法。
【請求項６】
コンテンツ配信装置とネットワークを介して接続された再生装置のコンピュータにおいて実行されるプログラムであって、
前記コンピュータに、
単位時間あたりに受信すべきコンテンツデータのデータ量の指標となる受信データ品質保証情報を前記コンテンツ配信装置より受信する第１の処理と、
前記受信データ品質保証情報に基づいた前記コンテンツデータの受信が行われているかどうかを判断しながら前記コンテンツデータを受信して再生処理を行い、再生処理後のコンテンツデータを記憶部へ蓄積する第２の処理と、
前記受信データ品質保証情報に基づいた前記コンテンツデータの受信が出来なかった場合に前記記憶部に蓄積した前記コンテンツデータの再利用に関する再利用許可情報を再利用可能として設定する第３の処理と、
前記再利用許可情報が再利用不可として設定されている場合に、前記記憶部に蓄積した前記コンテンツデータを削除する第４の処理と、
を実行させるためのプログラム。
【発明の詳細な説明】
【０００１】
【発明の属する技術分野】
この発明は、通信ネットワーク上の情報処理装置に係り、特に、コンテンツデータの再生装置と再生方法並びにそのプログラムに関するものである。
【０００２】
【従来の技術】
従来のコンテンツ配信において、例えばストリーミング方式を採用したコンテンツ配信装置は、再生装置からのコンテンツ配信要求を受けて、コンテンツデータをデータパケット毎に細かく分割して配信し、再生装置はストリーミング配信装置より受信したデータパケットを一定量蓄積したのち、コンテンツの全データが送信されていない状態であっても、再生する順番にコンテンツのデータパケットをコンテンツデータとして再構成し、再生している。そして、再生済みのデータを逐次破棄している。また、ダウンロード方式を採用したコンテンツ配信装置は、コンテンツの全データを一括して再生装置に配信し、再生装置は受信したコンテンツの全データをＨＤＤ（Ｈａｒｄ　Ｄｉｓｋ　Ｄｒｉｖｅ）などの記憶装置に記憶してから、そのコンテンツデータ用いて再生している。
【０００３】
【発明が解決しようとする課題】
しかしながら、上述のストリーミング方式を採用したコンテンツ配信方法は、コンテンツの配信中に、通信状態の悪化やその他のネットワーク障害が発生した場合、再生装置での再生時において映像や音声のコマ落ちが発生したり、再生が不可能な状態に陥ってしまう。このようにコンテンツの品質が悪化した状態で視聴を行った場合には、例えば再生装置のユーザーは、コンテンツの再視聴を行おうと考えるが、コンテンツデータは再生された後に直ちに再生装置から削除されてしまうので、ユーザーは再度コンテンツの配信要求を行う必要がある。ここで、ストリーミング対象のコンテンツの視聴が有料であった際には、コンテンツ配信業者はユーザーからのコンテンツの再配信要求に対して、再度、課金を行うこととなる。また、コンテンツの再配信に対して再び課金されてしまうことを承知で再生装置のユーザーがコンテンツ配信要求を再度行う場合でも、ネットワークの通信状態によっては、再び障害が発生することが考えられ、再生装置においてコンテンツの再生が高品質で行われるという保証を得ることができない。
【０００４】
また、ダウンロード方式によるコンテンツ配信方法では、コンテンツのダウンロード過程が正常であれば、その後は再生装置上で全ての再生処理が行われるため、高品質のコンテンツ再生が保証されるが、コンテンツの全データを再生装置に蓄積することになるため、ユーザーがコンテンツに対して不正な編集や加工や譲渡などを行ったとしても、コンテンツの配信業者はその不正を防ぐことができない。
【０００５】
そこでこの発明は、ネットワーク障害などでコンテンツが正常に視聴できなかった場合に、ネットワーク経由でのコンテンツの再配信を行わずに再生装置内部に保存したコンテンツを用いることで品質の高いコンテンツの視聴を保証し、また、再生装置内部にコンテンツを保持した場合でも、ユーザーがコンテンツに対して不正な行為を行うことが出来ないような機能を備えた、コンテンツデータの再生装置と再生方法並びにそのプログラムを提供することを目的としている。
【０００６】
【課題を解決するための手段】
本発明は、上述の課題を解決すべくなされたもので、請求項１に記載の発明は、コンテンツ配信装置がストリーミング方式によって配信するコンテンツデータを受信し再生する再生装置であって、単位時間あたりに受信すべきコンテンツデータのデータ量の指標となる受信データ品質保証情報と前記コンテンツデータとを受信する通信部と、前記受信データ品質保証情報に基づいた前記コンテンツデータの受信が行われているかどうかを判断しながら前記コンテンツデータの再生処理を行うと共に、再生処理後のコンテンツデータを記憶部へ蓄積するコンテンツ再生部と、前記受信データ品質保証情報に基づいた前記コンテンツデータの受信が出来なかった場合に前記記憶部に蓄積した前記コンテンツデータの再利用に関する再利用許可情報を再利用可能として設定する再利用許可判定手段と、前記コンテンツの再生が終了した時点で前記再利用許可情報が再利用不可として設定されている場合に、前記記憶部に蓄積した前記コンテンツデータを削除するコンテンツデータ削除手段とを備えることを特徴とするコンテンツデータの再生装置である。
【０００７】
また、請求項２に記載の発明は、請求項１に記載の再生装置において、前記コンテンツ再生部は前記記憶部にコンテンツデータを蓄積する際に、前記コンテンツデータを暗号化して記憶部に保存することを特徴とする。
【０００８】
また、請求項３に記載の発明は、請求項１に記載の再生装置において、前記コンテンツ再生部は前記記憶部にコンテンツデータを蓄積する際に、前記コンテンツデータを再生順に細かく分割して前記記憶部に保存することを特徴とする。
【０００９】
また、請求項４に記載の発明は、請求項１に記載の再生装置において、前記コンテンツ再生部は前記受信データ品質保証情報に基づいたコンテンツデータの受信が出来なかった場合に、前記再利用許可情報を前記記憶部に保存したコンテンツデータの内部に格納することを特徴とする。
【００１０】
また、請求項５に記載の発明は、コンテンツ配信装置とネットワークを介して接続された再生装置におけるコンテンツデータの再生方法において、単位時間あたりに受信すべきコンテンツデータのデータ量の指標となる受信データ品質保証情報を前記コンテンツ配信装置より受信する第１の過程と、前記受信データ品質保証情報に基づいた前記コンテンツデータの受信が行われているかどうかを判断しながら前記コンテンツデータを受信して再生処理を行い、再生処理後のコンテンツデータを記憶部へ蓄積する第２の過程と、前記受信データ品質保証情報に基づいた前記コンテンツデータの受信が出来なかった場合に前記記憶部に蓄積した前記コンテンツデータの再利用に関する再利用許可情報を再利用可能として設定する第３の過程と、前記再利用許可情報が再利用不可として設定されている場合に、前記記憶部に蓄積した前記コンテンツデータを削除する第４の過程とを備えることを特徴とするコンテンツデータの再生方法である。
【００１１】
また、請求項６に記載の発明は、コンテンツ配信装置とネットワークを介して接続された再生装置のコンピュータにおいて実行されるプログラムであって、前記コンピュータに、単位時間あたりに受信すべきコンテンツデータのデータ量の指標となる受信データ品質保証情報を前記コンテンツ配信装置より受信する第１の処理と、前記受信データ品質保証情報に基づいた前記コンテンツデータの受信が行われているかどうかを判断しながら前記コンテンツデータを受信して再生処理を行い、再生処理後のコンテンツデータを記憶部へ蓄積する第２の処理と、前記受信データ品質保証情報に基づいた前記コンテンツデータの受信が出来なかった場合に前記記憶部に蓄積した前記コンテンツデータの再利用に関する再利用許可情報を再利用可能として設定する第３の処理と、前記再利用許可情報が再利用不可として設定されている場合に、前記記憶部に蓄積した前記コンテンツデータを削除する第４の処理とを実行させるためのプログラムである。
【００１２】
【発明の実施の形態】
以下、本発明の一実施形態によるコンテンツ配信装置および再生装置とその受配信方法を図面を参照して説明する。
図１は、この発明の一実施形態によるコンテンツ配信装置と再生装置とで構成されたコンテンツ配信システムを示す概略ブロック図である。この図において１はコンテンツ配信装置である。２は再生装置である。３はコンテンツ配信装置と再生装置が接続される通信ネットワークである。ここでは、通信網４においてはインターネット網が利用されるものとする。
【００１３】
また、コンテンツ配信装置１において符号１１はインターネット網を介して再生装置２と通信する通信部である。１２はコンテンツ配信装置内１のデータを制御する制御部である。１３はコンテンツ配信処理を行うコンテンツ配信部である。１４はコンテンツ配信のデータを格納するＨＤＤである。また、再生装置２において、符号２１はインターネット網を介してコンテンツ配信装置１と通信する通信部である。２２は再生装置２内のデータを制御する制御部である。２３はコンテンツ配信装置より受信したデータパケットを再構成してコンテンツデータを再生するコンテンツ再生部であり、例えば再生装置２にインストールされたＶｉｅｗｅｒアプリケーションである。また、このコンテンツ再生部では再生後にＨＤＤ２６に蓄積したコンテンツデータの再利用を許可するかどうかを判定する再利用許可判定手段と、再利用許可をしない場合にはＨＤＤ２６に蓄積したコンテンツデータを削除するコンテンツデータ削除手段を備えている。２４はコンテンツ再生部２３が再生した映像や音声を出力する出力部である。２５は再生装置２のユーザーがコンテンツ再生部に対してコンテンツの配信要求や再利用の指示をう入力部２５である。２６はコンテンツデータを格納するＨＤＤである。また、図２は再生装置２が受信したコンテンツを再生する処理のフローを示す図である。図３はコンテンツの再利用時の処理フローを示す図である。
【００１４】
まず、再生装置２を利用するユーザーはコンテンツ配信装置１においてストリーミング方式で配信が行われるコンテンツを視聴するために、コンテンツ配信装置１の提供するＷｅｂサイトに再生装置２を用いてアクセスし、コンテンツの配信要求を入力部２５から行うとする。この時ユーザーは、Ｗｅｂサイト上でコンテンツ配信の為の料金決済を済ませた後に、コンテンツの配信要求を行うこととなる。料金決済はユーザーが氏名、年齢、住所、クレジットカード番号などをＷｅｂサイト上に入力することにより行われる。
【００１５】
コンテンツの料金決済が終了し、ユーザーがＷｅｂサイト上においてコンテンツ配信のスタートボタンを入力部２５を用いてクリックすると、再生装置２のコンテンツ再生部２３は通信部２１を介してコンテンツ配信装置１にコンテンツ配信要求の信号を送信する。コンテンツ配信装置１は再生装置２からのコンテンツ配信要求の信号を受信すると、それを通信部１１がコンテンツ配信部１３に転送する。そして、コンテンツ配信装置１のコンテンツ配信部１３はストリーミング方式を利用して、コンテンツ配信時の品質レベルを示した値（以降Ｑｏｓレベルと呼ぶ：Ｑｕａｌｉｔｙ　Ｏｆ　Ｓｅｒｖｉｃｅ（受信データ品質保証情報））を通信部１１を介して再生装置２に送信する（図２のステップＳ１）。ここでＱｏｓレベルを表す単位はＭｂｐｓ（Ｍｅｇａ　Ｂｉｔ　Ｐｅｒ　Ｓｅｃｏｎｄ）で表され、１秒間に再生装置２で受信されるべきコンテンツのデータ量を保証するための指標値となる。尚、このＱｏｓ値はコンテンツ配信装置１で設定可能であるため、例えば、０．５秒毎の受信データ量というような、違う単位でのＱｏｓレベルでも良い。
【００１６】
一方、再生装置２ではコンテンツデータの受信を行うにあたり、再利用許可判定手段がコンテンツ再生部２３の内部において、再利用許可情報をＮＧとして設定し（ステップＳ２）、コンテンツデータを受信するまで待機する。再利用許可情報とは、コンテンツ再生部２３が、ネットワーク障害などによりＱｏｓレベルでのコンテンツデータの受信がきなかったと判断した場合、再生装置２のＨＤＤ２６に保存したコンテンツデータの再利用を許可する事を示す情報であり、ＮＧとはコンテンツの再利用が不可能であるということを意味する。
【００１７】
次に、再生装置２はコンテンツ配信装置１より受信したＱｏｓレベルを受信し、コンテンツ再生部２３に保持する。ここで、コンテンツ再生部２３の再利用許可判定手段が、このＱｏｓレベルに基づいたコンテンツデータの受信が行われたかどうかという判断で、データ量監視を開始する（ステップＳ３）。尚、再利用許可情報は、コンテンツ再生部２３内に設定されるのではなく、再生を行ったコンテンツデータ自体に保持させても良い。
【００１８】
コンテンツ配信装置１のコンテンツ配信部１３はＱｏｓレベルを再生装置２に送信した後、ＨＤＤ１４に記憶するコンテンツデータをストリーミング方式を用いて配信する。コンテンツ配信装置１からのコンテンツデータの送信は、データパケットと呼ばれるコンテンツデータを分割した小さなデータ量単位で送信される。そして、再生装置２の通信部２１はコンテンツ配信装置１の送信したデータパケットを受信するとデータパケットをコンテンツ再生部２３へ転送し、コンテンツ再生部２３がこのデータパケットを読み込む（ステップＳ４）。そしてコンテンツ再生部２３はデータパケットが転送されると、そのデータパケットを再構成してコンテンツデータとして生成し、コンテンツデータの再生映像や音声を出力部２３に出力する。
【００１９】
ここで、再生装置２におけるコンテンツ再生部２３の再利用許可判定手段はステップＳ３以降、コンテンツデータの再生と同時に常に、受信したデータパケットの単位時間あたりのデータ量を監視しており、単位時間あたりのデータ量がＱｏｓレベルの値よりも少ないかどうかを判定する（ステップＳ５）。転送されたデータパケットのデータ量がＱｏｓレベルに達しなかった場合、コンテンツ再生部２３の再利用許可判定手段は再利用許可情報をＯＫとして設定する（ステップＳ６）。そして再生後のコンテンツデータをＨＤＤ２６に蓄積する。また、ステップＳ５においてコンテンツ監視部２３が通信部２１より転送されたデータパケットのデータ量がＱｏｓレベルより大きい場合、再利用許可情報の設定をＮＧとしたまま、再生後のコンテンツデータをＨＤＤ２６に蓄積する（ステップＳ７）。
【００２０】
コンテンツ再生部２３はステップＳ７において再生後のコンテンツデータの蓄積を行う際、再生装置２のユーザーによる不正な利用を防止するために、ユーザーがコンテンツデータであると認識できないような形でＨＤＤ２６に蓄積する。これは、図４のａに示すように、コンテンツ再生部によるコンテンツデータの暗号化によって実現される。コンテンツデータの暗号化を行うことにより、例えば編集や加工などの手法を用いたユーザーの不正なコンテンツデータの利用を防ぐことが出来る。尚、図４のｂに示すように、ＨＤＤ２６へのデータ蓄積は暗号化によるものではなく、ＨＤＤ２６がコンテンツ再生部２３より転送を受けた、データ量ごとの分割されたままの形で蓄積することもできる。分割されたままの形式で蓄積することにより、一つのデータのみではコンテンツデータとして認識することが不可能であるため、ユーザーの不正を防ぐことが出来る。
【００２１】
そして、再生装置２のコンテンツ再生部２３は通信部２１より転送されたデータパケットのデータ転送が終了したかどうかを判断する（ステップＳ８）。このステップＳ４からステップＳ８の処理はＱｏｓレベルで指定される単位時間ごとに行われる。今、ＱｏｓレベルはＭｂｐｓの単位であるため、ステップＳ４からステップＳ８の処理は一秒間ごとに行われる。コンテンツ再生部２３は通信部２１より転送を受けたデータパケットを再構成してコンテンツデータとして生成し、また、生成したコンテンツデータを再生する一連の処理において、データパケットがコンテンツデータとして再生される最後のデータパケットであるかどうかを、データパケットに格納されるヘッダ部から判断することが出来る。
【００２２】
データパケットのヘッダ部に最終データパケットであるという情報のフラグが立っていた場合、コンテンツ再生部２３は、通信部２１からのデータパケットの転送が終了したことを判断する。そして、データパケットの転送が終了したことによりコンテンツデータの再生も終了することとなる。再生装置２におけるコンテンツ再生部２３のコンテンツデータ削除手段は、コンテンツデータの再生が終了したことを判断すると、再利用許可情報がＯＫとして設定されているかどうかを判断する（ステップＳ９）。ここで、再利用許可情報がＮＧと設定されていた場合、蓄積したコンテンツデータを消去して（ステップＳ１０）終了する。また、ステップＳ９において再利用許可情報がＯＫと設定されている場合には、蓄積したコンテンツデータを消去せずに、ＨＤＤ２６に保持する。
【００２３】
ステップＳ５においてコンテンツ再生部２３が通信部２１から転送を受けたデータパケットのデータ量が、Ｑｏｓレベルで示される値より低かった場合、再利用許可情報がＯＫとして設定されているので、これにより、再生装置２のユーザーはＨＤＤ２６に蓄積されたコンテンツデータを再び再生しコンテンツを視聴することができる。ユーザーが入力部よりコンテンツ再利用の指示行うと、図３より、コンテンツ再生部２３は自身で保持している再利用許可情報がＯＫとしてフラグが立っているかどうかを確認する（ステップＳ１１）。再利用許可情報がＯＫとなっている場合、再生装置２のコンテンツ再生部は、ＨＤＤ２６に格納しているコンテンツデータの再生処理を開始する。
【００２４】
ここで、コンテンツデータが暗号化されている場合、コンテンツデータを復号化するための鍵をコンテンツ配信装置１に問い合わせて取得する。そして、コンテンツ配信装置から得た鍵を用いて、暗号化されたコンテンツデータを復号化し、コンテンツデータを読み込む（ステップＳ１２）。コンテンツ再生部２３は復号化したコンテンツデータを読み込んだ後、再生をおこなって映像や音声を出力部２４へ出力する。尚、暗号化されたコンテンツデータを復号化する鍵は、コンテンツ再生部２３内部に最初から保持していても良い。また、暗号化されたコンテンツデータの最初の数バイト目が、復号化鍵を保持している箇所であると規定されている場合には、この復号化鍵も暗号化されているため、暗号化された復号化鍵をコンテンツ再生装置１に送信し、コンテンツ配信装置１が暗号化された復号化鍵を復号化して、再生装置２に送り返すことで、コンテンツデータを復号化する方法でも良い。
【００２５】
また、ＨＤＤ２６に蓄積したコンテンツデータが暗号化されずに、細かく分割されて保持されている場合には、コンテンツデータの復号化をする必要がないため、コンテンツ再生部２３内部で設定される再利用許可情報がＯＫであった場合には、分割されたコンテンツデータを順に読み込み再生する。尚、再利用許可情報がＨＤＤ２６の分割されたコンテンツデータに格納されていて、コンテンツ再生部２３がコンテンツデータに格納された再利用許可情報を検知して、コンテンツの再利用許可を判断する方法でも良い。
コンテンツ再生部２３はコンテンツデータの再生が終了すると、ＨＤＤ２６に蓄積したコンテンツデータを消去して（ステップＳ１４）終了する。
【００２６】
また、図１におけるコンテンツ再生部２３の機能を実現するためのプログラムをコンピュータ読み取り可能な記録媒体に記録して、この記録媒体に記録されたプログラムをコンピュータシステムに読み込ませ、実行することによりコンテンツの再生処理を行っても良い。なお、ここでいうコンテンツ配信装置１及び再生装置２とは、オペレーティングシステムや周辺機器等を含むものとする。
また、再生装置２は、ＷＷＷ（Ｗｏｒｌｄ　Ｗｉｄｅ　Ｗｅｂ）システムを利用している場合であれば、ＷＷＷサーバ環境あるいはＷＷＷ表示環境を含むものとする。
また、「コンピュータ読み取り可能な記録媒体」とは、フロッピー（登録商標）ディスク、光磁気ディスク、ＲＯＭ、ＣＤ−ＲＯＭ等の可搬媒体、再生装置２におけるハードディスク等の記憶装置のことをいう。さらに「コンピュータ読み取り可能な記録媒体」とは、電気通信回線を介してプログラムが伝送される場合の再生装置２内部の揮発性メモリ（半導体リードライトメモリ）などのように、少なくとも一定時間プログラムを保持するものをも含むものとする。
【００２７】
また、上記プログラムは、このプログラムをＨＤＤ２６に格納した再生装置２から電気通信回線の伝送媒体を介して他の情報処理装置に伝送されるものであっても良い。ここで電気通信回線の伝送媒体とは、電気あるいは電磁波等による信号を伝える物理的性質を持つ、金属線、光ファイバ、電磁場等のことをいう。
また、上記プログラムは、前述した機能の一部を実現するものであっても良い。さらに、前述した機能を再生装置２上に既に記録されているプログラムとの組み合わせで実現できるもの、いわゆる差分プログラムであっても良い。
【００２８】
【発明の効果】
以上説明したように、この発明によれば、再生装置のコンテンツ再生部が単位時間あたりの受信データ量を監視して、コンテンツ配信装置より受信したＱｏｓレベルの値に基づいた受信データ量でなかった場合には、再生したコンテンツを破棄せずにＨＤＤへ保存するので、ユーザーはネットワーク障害などでコンテンツの視聴にコマ落ちなどの不具合が生じた場合には、ＨＤＤに保存されたコンテンツデータを再利用して視聴できるので、コンテンツデータを再度視聴する際のコンテンツの品質を保証することができる。また、コンテンツ再生部はＨＤＤへコンテンツデータを保存する際に、暗号化するか、もしくは一つのデータでは意味のないデータとなるように細かく分割して保存するので、ユーザーからのコンテンツデータの不正利用を防止することができる。
【図面の簡単な説明】
【図１】この発明の一実施形態によるコンテンツ配信装置と再生装置とで構成されたコンテンツ配信システムを示す概略ブロック図である。
【図２】同実施形態による再生装置２が受信したコンテンツを再生する処理のフローを示す図である。
【図３】同実施形態によるコンテンツの再利用時の処理フローを示す図である。
【図４】同実施形態によるコンテンツデータをＨＤＤへ蓄積する際の方法を示す図である。
【符号の説明】
１　コンテンツ配信装置
２　再生装置
３　インターネット網
１１、２１　通信部
１２、２２　制御部
１３　コンテンツ配信部
１４、２６　ＨＤＤ
２３　コンテンツ再生部
２４　出力部
２５　入力部
【図１】
2004096216.tif 000003
【図２】
2004096216.tif 000004
【図３】
2004096216.tif 000005
【図４】
2004096216.tif 000006